(57)【特許請求の範囲】
【請求項１】
着脱可能なアクセサリの装着下で被写体を撮影して、該被写体像の画像データを生成する撮像装置において、
前記画像データを処理して前記被写体像に特殊効果を付加する画像処理部と、
該画像処理部で実行可能な複数の特殊効果を含む特殊効果一覧と、各特殊効果が顕著に現れるアクセサリの組み合わせを制限するアクセサリ制限情報とを関連させた特殊効果情報を格納する記憶部と、
前記特殊効果一覧を表示する表示部と、
該表示部に表示された前記特殊効果一覧からいずれか一つの特殊効果を選択するための操作部と、
前記特殊効果情報と前記装着下のアクセサリとに基づいて前記特殊効果一覧における前記特殊効果の実行の可否をチェックし、該チェック結果を示す特殊効果フラグの出力に応じて、前記表示部への前記特殊効果一覧の表示態様を制御する制御部と、を備え、
前記特殊効果一覧は、シェーディング付加効果、ティルトレンズ撮影効果、魚眼レンズ効果、ダイナミックレンジ拡大効果、のいずれかを含む、
ことを特徴とする撮像装置。
【請求項２】
前記アクセサリは撮影レンズを含み、
前記撮影レンズとして、標準レンズ、望遠レンズ、ズームレンズ、魚眼レンズ、ティルトレンズ、３６０度レンズ、ソフトフォーカスレンズ、撮像素子付レンズ、アナモフィックレンズのいずれか一つを装着して前記被写体を撮影する、ことを特徴とする請求項１に記載の撮像装置。
【請求項３】
前記制御部は、前記特殊効果一覧を、前記装着下のアクセサリに対して推奨される特殊効果と、その他の特殊効果との表示領域、表示順、配色、字体、文字サイズの少なくとも一つを区別して表示するように制御する、ことを特徴とする請求項１または２に記載の撮像装置。
【請求項４】
前記アクセサリは三脚を含み、
前記三脚の装着を検出する三脚検出部をさらに備え、
前記制御部は、前記三脚検出部による三脚の検出結果と前記特殊効果情報と前記装着下のアクセサリとに基づいて前記特殊効果一覧における前記特殊効果の実行の可否をチェックし、該チェック結果を示す特殊効果フラグの出力に応じて、前記表示部への前記特殊効果一覧の表示態様を制御する、ことを特徴とする請求項１乃至３のいずれか一項に記載の撮像装置。
【発明の詳細な説明】
【技術分野】
【０００１】
本発明は、交換レンズ等のアクセサリが着脱可能な撮像装置に関するものである。
【背景技術】
【０００２】
例えば、撮影レンズを交換可能なデジタルカメラとして、被写体像の画像データに対して、撮影に用いられたレンズの光学特性を反映したシェーディング補正を行うようにしたものが知られている（例えば、特許文献１参照）。
【０００３】
また、最近では、画像処理技術の進歩および高速化に伴って、被写体像の画像データに対して特殊なフィルタ処理等を施すことにより、撮影者（ユーザ）の感性を反映させた特殊効果を確認しながら撮影できる撮像装置も提案されている。ここで、特殊効果としては、例えば、画像の中心部を引き伸ばして周辺部を収縮させて魚眼レンズで撮影されたような特殊効果を付加する魚眼レンズ効果、周辺部を中心部よりも暗くしてシェーディングのような特殊効果を付加するシェーディング付加効果、ティルトレンズを用いて撮影したような上下部分がぼけた特殊効果を付加するティルトレンズ撮影効果、等が知られている。
【０００４】
このような特殊効果は、従来から一般に「きれいな写真」と呼ばれるような写真が撮れるレンズを用いた撮影によって得られた画像データに対し、所望のフィルタ処理を施すことにより、従来とは異なる印象の独特な写真を実現するものである。このため、例えば、魚眼レンズを用いた撮影によって得られた画像データに対し、魚眼レンズ効果のフィルタ処理を施した場合は、十分な効果は期待できない。また、シェーディングの大きな交換レンズを用いた撮影によって得られた画像データに対し、シェーディング付加効果により、さらにシェーディングを付加しても、効果的な写真は期待できない。
【０００５】
同様のことは、特殊効果として、例えば、画像データのダイナミックレンジを拡大するダイナミックレンジ拡大効果を得ようとする場合は、アクセサリとして、三脚の使用が必要となる。また、露光中フォーカス移動効果を得ようとする場合は、アクセサリとして、自動焦点（ＡＦ）対応の交換レンズが装着され、かつ三脚の使用が必要となる。さらに、特殊効果によっては、交換レンズ等の撮影レンズの被写体側鏡筒端部に、所定の光学フィルタの装着が必要になる場合もある。
【先行技術文献】
【特許文献】
【０００６】
【特許文献１】特許第３８２９６９８号公報
【発明の概要】
【発明が解決しようとする課題】
【０００７】
上述したように、写真撮影における特殊効果は、撮影レンズ、ストロボ、三脚、光学フィルタ等のアクセサリとの好適な組み合わせにおいて顕著に現れ、これにより独特の作風の写真を得ることが可能となる。
【０００８】
しかしながら、従来のデジタルカメラにおいては、実行する特殊効果を選択する場合、モニタ用の表示部に、当該デジタルカメラにおいて実行可能な全ての種類の特殊効果一覧を一義的に表示している。そして、その表示された特殊効果一覧の選択画面から、タッチパネルやジョグキー等の操作部を介してユーザによりいずれか一つの特殊効果を選択可能としている。
【０００９】
このため、例えば、ユーザがアクセサリの使用を優先したい場合、あるいは、実行する特殊効果の使用を優先したい場合に、ユーザの意図する十分な特殊効果が期待できない場合がある。
【００１０】
したがって、かかる点に鑑みてなされた本発明の目的は、十分な特殊効果が期待できるアクセサリと特殊効果との組み合わせを、ユーザが容易に設定できるようにした撮像装置を提供することにある。
【課題を解決するための手段】
【００１１】
上記目的を達成するため、本発明に係る撮像装置は、着脱可能なアクセサリの装着下で被写体を撮影して、該被写体像の画像データを生成する撮像装置において、
前記画像データを処理して前記被写体像に特殊効果を付加する画像処理部と、
該画像処理部で実行可能な複数の特殊効果を含む特殊効果一覧と、各特殊効果が顕著に現れるアクセサリの組み合わせを制限するアクセサリ制限情報とを関連させた特殊効果情報を格納する記憶部と、
前記特殊効果一覧を表示する表示部と、
該表示部に表示された前記特殊効果一覧からいずれか一つの特殊効果を選択するための操作部と、
前記特殊効果情報と前記装着下のアクセサリとに基づいて前記特殊効果一覧における前記特殊効果の実行の可否をチェックし、該チェック結果を示す特殊効果フラグの出力に応じて、前記表示部への前記特殊効果一覧の表示態様を制御する制御部と、を備え、
前記特殊効果一覧は、シェーディング付加効果、ティルトレンズ撮影効果、魚眼レンズ効果、ダイナミックレンジ拡大効果、のいずれかを含む、
ことを特徴とするものである。
【００１２】
ここで、アクセサリは、例えば撮影レンズとすることができ、標準レンズ、望遠レンズ、ズームレンズ、魚眼レンズ、ティルトレンズ、３６０度レンズ、ソフトフォーカスレンズ、撮像素子付レンズ、アナモフィックレンズのいずれか一つの撮影レンズを装着して被写体を撮影するように構成することができる。
【００１４】
本発明の好適一実施の形態においては、前記制御部は、前記特殊効果一覧を、前記装着下のアクセサリに対して推奨される特殊効果と、その他の特殊効果との表示領域、表示順、配色、字体、文字サイズ、の少なくとも一つを区別して表示するように制御する。これにより、効果が顕著に現れる特殊効果を容易に選択することができる。
【００１５】
さらに、前記アクセサリは三脚を含み、
前記三脚の装着を検出する三脚検出部をさらに備え、
前記制御部は、前記三脚検出部による三脚の検出結果と前記特殊効果情報と前記装着下のアクセサリとに基づいて前記特殊効果一覧における前記特殊効果の実行の可否をチェックし、該チェック結果を示す特殊効果フラグの出力に応じて、前記表示部への前記特殊効果一覧の表示態様を制御するように構成することができる。
【発明の効果】
【００１９】
本発明によれば、十分な特殊効果が期待できるアクセサリと特殊効果との組み合わせを、ユーザが容易に設定することができる。
【図面の簡単な説明】
【００２０】
【図１】第１実施の形態に係る撮像装置の外観の概略構成を説明するための図である。
【図２】図１の撮像装置の内部の概略構成を示す機能ブロック図である。
【図３】特殊効果情報の一例を示す図である。
【図４】第１実施の形態に係る撮像装置の全体の概略動作を示すフローチャートである。
【図５】図４のアクセサリ検出処理の一例を示すフローチャートである。
【図６】図４の特殊効果選択処理の一例を示すフローチャートである。
【図７】第１実施の形態によるシェーディングレンズが装着された場合の特殊効果一覧の表示例を示す図である。
【図８】第１実施の形態による魚眼レンズが装着された場合の特殊効果一覧の表示例を示す図である。
【図９】第１実施の形態によるティルトレンズが装着された場合の特殊効果一覧の表示例を示す図である。
【図１０】第１実施の形態によるＡＦ対応レンズが装着された場合の特殊効果一覧の表示例を示す図である。
【図１１】図４の静止画像撮影処理の一例を示すフローチャートである。
【図１２】第２実施の形態に係る撮像装置による特殊効果選択処理の一例を示すフローチャートである。
【図１３】第２実施の形態に係る撮像装置の概略背面図である。
【図１４】第３実施の形態に係る撮像装置の内部の概略構成を示す機能ブロック図である。
【図１５】本発明による特殊効果一覧の表示態様の変形例を示す図である。
【発明を実施するための形態】
【００２１】
以下、本発明の実施の形態について、図を参照して説明する。
【００２２】
（第１実施の形態）
図１（ａ）および（ｂ）は、本発明の第１実施の形態に係る撮像装置の外観の概略構成を説明するための図である。この撮像装置１０は、いわゆる一眼のデジタルカメラであり、図１（ａ）に示すように、カメラボディ１１の前面に、撮影レンズ１２が交換可能に装着される。撮影レンズ１２は、例えば、標準レンズ、望遠レンズ、ズームレンズ、魚眼レンズ、ティルトレンズ、３６０度レンズ、ソフトフォーカスレンズ、撮像素子付レンズ、アナモフィックレンズ等の各種の撮影レンズからいずれか一つが装着される。これらの撮影レンズ１２には、その被写体側鏡筒端部に、各種の光学フィルタ１３が着脱可能となっている。
【００２３】
また、カメラボディ１１の天面には、コネクタ部１４、レリーズボタン１５ａおよび電源スイッチ１５ｂが設けられている。コネクタ部１４には、電子ビューファインダ（ＥＶＦ;Electronic View Finder）１６やストロボ１７が着脱可能に装着される。
【００２４】
さらに、図１（ｂ）に示すように、カメラボディ１１の背面には、ライブビュー画像、撮影画像、メニュー画面等を表示する表示部１８、ズーム操作スイッチ１９ａ、メニューボタン１９ｂ、表示部１８に表示されたメニュー画面に応じて撮影モードや再生モード、特殊効果選択等の各種の入力操作を行うタッチパネルからなる操作部２０等が設けられている。表示部１８は、ＬＣＤ（Liquid Crystal Display）パネルや有機ＥＬ（electro-luminescence）パネル等で構成される。なお、図１（ｂ）は、操作部２０が表示部１８上に配置されたタッチパネルで構成された場合を例示しているが、操作部２０はタッチパネルに限らず、十字キーやジョグキー等で構成して表示部１８と分離して設けられる場合もある。また、図示しないが、カメラボディ１１は、その底面において、三脚の雲台に着脱可能となっている。
【００２５】
図２は、図１に示した撮像装置の内部の概略構成を示す機能ブロック図である。カメラボディ１１は、全体の動作を制御するシステムコントローラ２１を備える。このシステムコントローラ２１には、撮像部２２、カードメモリ部２３、記憶部２４、三脚検出部２５、レンズコネクタ部２６が接続されている。また、上述したコネクタ部１４、レリーズボタン１５ａ、電源スイッチ１５ｂ、ズーム操作スイッチ１９ａ、メニューボタン１９ｂおよび操作部２０が接続されているとともに、表示駆動部２７を介して表示部１８が接続されている。システムコントローラ２１には、撮像部２２からの出力に基づいて自動露出（ＡＥ）制御およびＡＦ制御を行うＡＥ制御部３１およびＡＦ制御部３２と、被写体像の画像データを生成する画像処理部３３とが内蔵されている。さらに、画像処理部３３には、被写体像の画像データに対して特殊効果に応じて所要のフィルタ処理を実行するフィルタ処理部３４が内蔵されている。
【００２６】
撮像部２２は、ＣＣＤ（Charge Coupled Devices）やＣＭＯＳ（Complementary Metal Oxide Semiconductor）等の撮像素子、アナログ−デジタル変換回路等を有し、システムコントローラ２１の制御のもとに、撮影レンズ１２を介して撮影される被写体像を光電変換して、デジタル信号としてシステムコントローラ２１に供給する。そして、システムコントローラ２１は、処理した画像データをカードメモリ部２３に供給するとともに、表示駆動部２７を介して表示部１８に供給して表示する。
【００２７】
コネクタ部１４は、該コネクタ部１４に装着されたアクセサリの情報、すなわち電子ビューファインダ１６やストロボ１７の情報を取得するもので、その取得情報はシステムコントローラ２１に供給される。
【００２８】
カードメモリ部２３は、カード状の記録媒体を着脱自在に装着するもので、システムコントローラ２１の制御のもとに、撮影モードにおいては、レリーズボタン１５ａの操作により撮影された静止画像を画像ファイルとして記録媒体に記録する。また、再生モードにおいては、記録媒体に画像ファイルとして記録されている静止画像を、表示駆動部２７を介して表示部１８に表示する。
【００２９】
記憶部２４は、ＲＯＭおよびＲＡＭを有し、撮影プログラムを含む撮影動作に必要な各種のデータがＲＯＭに格納され、画像処理中の画像データがＲＡＭに一時的に格納される。また、例えば、カードメモリ部２３に記録媒体が装着されていない場合、撮影された画像の画像ファイルが格納される。本実施の形態において、記憶部２４は、さらに、アクセサリ情報格納領域２４ａおよび特殊効果情報格納領域２４ｂを有する。
【００３０】
アクセサリ情報格納領域２４ａには、装着下のアクセサリの情報、すなわち撮影レンズ１２、光学フィルタ１３、電子ビューファインダ１６、ストロボ１７、三脚３７等のアクセサリ情報が格納される。また、特殊効果情報格納領域２４ｂには、特殊効果と、その特殊効果が顕著に現れるアクセサリ制限情報とを関連させた特殊効果情報が格納される。
【００３１】
ここで、特殊効果は、種々のものが知られているが、本実施の形態においては、説明を簡略化するため、シェーディング付加効果、魚眼レンズ効果、ティルトレンズ撮影効果、露光中フォーカス移動効果、ダイナミックレンジ拡大効果を実行可能とする。そして、図３に示すような、各特殊効果と、当該特殊効果が顕著に現れるアクセサリ制限情報とを関連させた特殊効果情報を、特殊効果情報格納領域２４ｂに格納するものとする。
【００３２】
図２において、三脚検出部２５は、撮像装置１０のカメラボディ１１が三脚３７に固定されたか否かを検出するもので、公知の三脚検出スイッチ等で構成される。この、三脚検出部２５の検出情報は、システムコントローラ２１に供給される。
【００３３】
また、レンズコネクタ部２６は、カメラボディ１１に装着された撮影レンズ１２の種別や該撮影レンズ１２に装着されている光学フィルタ１３の種別、撮影レンズ１２の状態等を示す情報を取得するもので、その取得情報はシステムコントローラ２１に供給される。
【００３４】
撮影レンズ１２は、レンズ光学系４１、レンズ情報メモリ４２、レンズ駆動モータ４３、レンズコントローラ４４、ピント操作部４５、ズーム操作部４６、ボディコネクタ部４７、および、フィルタコネクタ部４８を有する。なお、ズーム操作部４６は、当然のことながらレンズ光学系４１がズーム機能を有する場合にのみ設けられる。レンズ情報メモリ４２には、当該撮影レンズ１２の識別情報や光学特性等のレンズ情報が格納されている。このレンズ情報は、レンズコントローラ４４およびボディコネクタ部４７を経て、カメラボディ１１のレンズコネクタ部２６からシステムコントローラ２１に供給される。
【００３５】
撮影レンズ１２は、ＡＦ機能を有する場合、システムコントローラ２１からのＡＦ制御信号が、レンズコネクタ部２６およびボディコネクタ部４７を経てレンズコントローラ４４に供給される。これより、レンズ駆動モータ４３が駆動されて、レンズ光学系４１のＡＦ動作が行われる。一方、ＡＦ機能を有しない場合や手動フォーカスモードが設定されている場合は、ピント操作部４５の操作に基づいて、レンズコントローラ４４によりレンズ駆動モータ４３が駆動されて、レンズ光学系４１のＡＦ動作が行われる。また、ユーザが手動でピント操作するようにしてもよい。
【００３６】
また、ズーム機能を有する場合において、カメラボディ１１側のズーム操作スイッチ１９ａが操作された場合は、そのズーム操作に基づいて、システムコントローラ２１からレンズコネクタ部２６およびボディコネクタ部４７を経てレンズコントローラ４４にズーム制御信号が供給される。これにより、レンズ駆動モータ４３が駆動されてレンズ光学系４１のズーム動作が行われる。一方、撮影レンズ１２側のズーム操作部４６が操作された場合は、そのズーム操作に応じてレンズコントローラ４４によりレンズ駆動モータ４３が駆動されて、レンズ光学系４１のズーム動作が行われる。
【００３７】
光学フィルタ１３は、フィルタ光学系５１、フィルタ情報メモリ５２、および、レンズコネクタ部５３を有する。フィルタ情報メモリ５２には、当該光学フィルタ１３の識別情報や光学特性等の光学フィルタ情報が格納されている。この光学フィルタ情報は、レンズコネクタ部５３から、当該光学フィルタ１３が装着されている撮影レンズ１２のフィルタコネクタ部４７、レンズコントローラ４３およびボディコネクタ部４６を経て、カメラボディ１１のレンズコネクタ部２６からシステムコントローラ２１に供給される。
【００３８】
電子ビューファインダ１６は、ボディコネクタ部５５、ＥＶＦコントローラ５６、表示駆動部５７、ＥＶＦ表示部５８、および、接眼レンズ光学系５９を有する。ＥＶＦ表示部５８は、カメラボディ１１の表示部１８と同様に、ＬＣＤパネルや有機ＥＬパネル等で構成される。この電子ビューファインダ１６は、カメラボディ１１のコネクタ部１４に装着されると、システムコントローラ２１からコネクタ部１４およびボディコネクタ部５５を経てＥＶＦコントローラ５６にライブビュー画像や撮影画像等の画像信号が供給され、その画像が表示駆動部５７を経てＥＶＦ表示部５８に表示される。これにより、ユーザは、接眼レンズ光学系５９を介して、ＥＶＦ表示部５８に表示された画像を観察することができる。
【００３９】
ストロボ１７は、ボディコネクタ部６１、ストロボコントローラ６２、発光駆動部６３、および、発光部６４を有する。発光部６４は、光源として、例えばキセノン管が用いられる。このストロボ１７は、カメラボディ１１のコネクタ部１４に装着されると、撮影動作に連動して、システムコントローラ２１からコネクタ部１４およびボディコネクタ部６１を経てストロボコントローラ６２に発光信号が供給される。これにより、発光駆動部６３を介して発光部６４が発光して被写体が照明される。
【００４０】
以下、本実施の形態に係る撮像装置１０の概略動作を説明する。
【００４１】
図４は、本実施の形態に係る撮像装置１０の全体の概略動作を示すフローチャートである。先ず、システムコントローラ２１は、電源スイッチ１５ｂのオンを検出すると、システムの初期設定を行った後（Ｓ１０１）、動作モードを判定する（Ｓ１０３）。その結果、動作モードが撮影モードの場合は、現在装着されているアクセサリの検出処理を行う（Ｓ１０５）。
【００４２】
その後、システムコントローラ２１は、メニューボタン１９ｂや操作部２０による特殊効果の選択操作、すなわち特殊効果一覧を表示する表示操作の有無を監視する（Ｓ１０７）。そして、特殊効果の選択操作が行われていなければ、レリーズ操作の有無を監視し（Ｓ１０９）、特殊効果の選択操作が行われれば、特殊効果の選択処理を実行して（Ｓ１１１）、その後、Ｓ１０９に移行する。なお、システムコントローラ２１は、Ｓ１０９においてレリーズ操作の有無の監視を開始するまでに、適宜のタイミングで、現在のアクセサリの装着状態で得られるライブビュー画像を表示部１８に表示する。
【００４３】
Ｓ１０９において、レリーズ操作が検出されると、システムコントローラ２１は、表示部１８へのライブビュー画像の表示を停止して（Ｓ１１３）、静止画像の撮影処理を実行する（Ｓ１１５）。この際、特殊効果の中でもフィルタ処理を伴わない特殊効果、例えば露光中フォーカス移動効果が選択されている場合は、その特殊効果に応じた画像処理を実行する。もちろん、特殊効果が選択されていない場合は、通常の画像処理を実行する。
【００４４】
その後、システムコントローラ２１は、Ｓ１１１においてフィルタ処理を伴う特殊効果が選択されているか否かを判定する（Ｓ１１７）。その結果、フィルタ処理を伴う特殊効果が選択されている場合は、画像処理部３３において当該特殊効果に応じて、フィルタ処理部３４による所要のフィルタ処理を実行する（Ｓ１１９）。そして、特殊効果が付加された画像データを、カードメモリ部２３の記録媒体または記憶部２４に画像ファイルとして記録する（Ｓ１２１）。これに対し、Ｓ１１７において、フィルタ処理を伴う特殊効果が選択されていない場合は、画像処理部３３において通常の画像処理を実行して、Ｓ１２１において取得された画像データを画像ファイルとして記録する。
【００４５】
システムコントローラ２１は、Ｓ１２１において撮影画像の画像ファイルを格納すると、その撮影画像をユーザに確認させるために表示部１８に一時的に表示し（Ｓ１２３）、その後、表示部１８へのライブビュー画像の表示を再開して（Ｓ１２５）、Ｓ１０３に移行する。
【００４６】
一方、Ｓ１０９において、レリーズ操作が検出されない場合、システムコントローラ２１は、電源スイッチ１５ｂのオフ操作の有無を監視する（Ｓ１２７）。その結果、オフ操作がされていない場合は、Ｓ１０３に移行して上記の動作を繰り返し、オフ操作がされている場合は、システムの停止設定を行って（Ｓ１２９）、動作を終了する。
【００４７】
なお、Ｓ１０３において、動作モードが再生モードの場合、システムコントローラ２１は、カードメモリ部２３に装着されている記録媒体に格納されている画像ファイル、あるいは、記憶部２４に格納されている画像ファイルの再生動作を実行して（Ｓ１３１）、Ｓ１２７に移行する。
【００４８】
図５は、図４に示したＳ１０５におけるアクセサリ検出処理の一例を示すフローチャートである。
【００４９】
アクセサリ検出処理では、先ず、撮影レンズ１２との通信を試みて、撮影レンズ１２が装着されているか否かをチェックする（Ｓ２０１）。その結果、撮影レンズ１２が装着されていれば、撮影レンズ１２のレンズ情報メモリ４２に格納されているレンズ情報を取得して、その取得したレンズ情報を記憶部２４のアクセサリ情報格納領域２４ａに格納する（Ｓ２０３）。これに対し、撮影レンズ１２が装着されていなければ、アクセサリ情報格納領域２４ａに格納されているアクセサリ情報からレンズ情報をクリアする（Ｓ２０５）。
【００５０】
次に、システムコントローラ２１は、電子ビューファインダ１６との通信を試みて、電子ビューファインダ１６が装着されているか否かをチェックする（Ｓ２０７）。その結果、電子ビューファインダ１６が装着されていれば、その装着を示す情報を取得して記憶部２４のアクセサリ情報格納領域２４ａに格納し（Ｓ２０９）、装着されていなければ、アクセサリ情報格納領域２４ａに格納されているアクセサリ情報から、電子ビューファインダ１６に関する情報をクリアする（Ｓ２１１）。
【００５１】
その後、システムコントローラ２１は、ストロボ１７との通信を試みて、ストロボ１７が装着されているか否かをチェックする（Ｓ２１３）。その結果、ストロボ１７が装着されていれば、その装着を示す情報を取得して記憶部２４のアクセサリ情報格納領域２４ａに格納し（Ｓ２１５）、装着されていなければ、アクセサリ情報格納領域２４ａに格納されているアクセサリ情報から、ストロボ１７に関する情報をクリアする（Ｓ２１７）。
【００５２】
次に、システムコントローラ２１は、三脚検出部２５の出力に基づいて、三脚３７が装着されているか否かをチェックする（Ｓ２１９）。その結果、三脚３７が装着されていれば、その装着を示す情報を記憶部２４のアクセサリ情報格納領域２４ａに格納し（Ｓ２２１）、装着されていなければ、アクセサリ情報格納領域２４ａに格納されているアクセサリ情報から、三脚３７に関する情報をクリアする（Ｓ２２３）。
【００５３】
その後、システムコントローラ２１は、撮影レンズ１２を介して光学フィルタ１３との通信を試みて、光学フィルタ１３が装着されているか否かをチェックする（Ｓ２２５）。その結果、光学フィルタ１３が装着されていれば、光学フィルタ１３のフィルタ情報メモリ５２に格納されている光学フィルタ情報を取得して、その取得した光学フィルタ情報を記憶部２４のアクセサリ情報格納領域２４ａに格納する（Ｓ２２７）。これに対し、光学フィルタ１３が装着されていなければ、アクセサリ情報格納領域２４ａに格納されているアクセサリ情報から光学フィルタ情報をクリアする（Ｓ２２９）。
【００５４】
なお、図５に示したアクセサリのチェック動作は、任意の順番で実行することができる。また、撮影レンズ１２のチェックと光学フィルタ１３のチェックとは、同時に実行することも可能である。同様に、コネクタ部１４に交換可能に装着される電子ビューファインダ１６およびストロボ１７についても、コネクタ部１４に現在装着されているアクセサリを検出することにより、同時にチェックすることができる。
【００５５】
図６は、図４に示したＳ１１１における特殊効果選択処理の一例を示すフローチャートである。
【００５６】
システムコントローラ２１は、記憶部２４のアクセサリ情報格納領域２４ａおよび特殊効果情報格納領域２４ｂから、それぞれアクセサリ情報および特殊効果情報を読み出す（Ｓ３０１）。そして、これらの情報に基づいて、表示部１８に表示する特殊効果一覧の表示態様を、現在のアクセサリ情報から推奨される特殊効果が、ユーザにおいて選択し易いように制御する。したがって、本実施の形態において、システムコントローラ２１は、表示部１８への特殊効果一覧の表示態様を制御する制御部を構成する。
【００５７】
システムコントローラ２１は、Ｓ３０１で読み出したアクセサリ情報から撮影レンズ１２の装着をチェックする（Ｓ３０３）。そして、撮影レンズ１２が装着されていれば、実行可能な全ての特殊効果のフラグをそれぞれ初期化して（Ｓ３０５）、装着されている撮影レンズ１２のレンズ情報と三脚３７の装着状態とをチャックし、それらのチェック結果に基づいて初期化したフラグを書き換えて、推奨される特殊効果を選定する。なお、Ｓ３０５では、図３に示した、ａ（シェーディング付加効果）、ｂ（魚眼レンズ効果）、ｃ（ティルトレンズ撮影効果）、ｄ（露光中フォーカス移動効果）、ｅ（ダイナミックレンジ拡大効果）の全ての特殊効果のフラグを「１」に初期化するものとする。
【００５８】
そのため、図６では、特殊効果のフラグを初期化したら、システムコントローラ２１は、先ず、レンズ情報から、当該撮影レンズは、レンズ周辺の減光量が、中心部に比べて所定値（例えば、５０％）以下であるかをチェックする（Ｓ３０７）。その結果、所定値以下のものでなければ（Noの場合）、つまり減光量が所定値を超えるシェーディングレンズが装着されていれば、ａ（シェーディング付加効果）のフラグを「０」に書き換え（Ｓ３０９）、それ以外はフラグの変更を行わない。
【００５９】
次に、システムコントローラ２１は、レンズ情報から、当該撮影レンズの焦点距離は所定値（例えば、９ｍｍ）以上かをチェックする（Ｓ３１１）。その結果、所定値以上のものでなければ（Noの場合）、つまり魚眼レンズが装着されていれば、ｂ（魚眼レンズ効果）のフラグを「０」に書き換え（Ｓ３１３）、それ以外はフラグの変更を行わない。
【００６０】
次に、システムコントローラ２１は、レンズ情報から、当該撮影レンズはティルトレンズでないかをチェックする（Ｓ３１５）。その結果、ティルトレンズであれば（Noの場合）、ｃ（ティルトレンズ撮影効果）のフラグを「０」に書き換え（Ｓ３１７）、それ以外はフラグの変更を行わない。
【００６１】
次に、システムコントローラ２１は、レンズ情報から、当該撮影レンズはＡＦ対応レンズであるかをチェックする（Ｓ３１９）。その結果、ＡＦ対応レンズでなければ（Noの場合）、ｄ（露光中フォーカス移動効果）のフラグを「０」に書き換え（Ｓ３２１）、それ以外はフラグの変更を行わない。
【００６２】
その後、システムコントローラ２１は、読み出したアクセサリ情報から、三脚３７の装着をチェックする（Ｓ３２３）。その結果、三脚３７が装着されていなければ（Noの場合）、ｄ（露光中フォーカス移動効果）およびｅ（ダイナミックレンジ拡大効果）のフラグをそれぞれ「０」に書き換え（Ｓ３２５）、それ以外はフラグの変更を行わない。
【００６３】
以上のようにして、装着されている撮影レンズ１２のレンズ情報と三脚３７の装着状態とをチェックしたら、特殊効果のフラグの状態に基づいて推奨される特殊効果を選定し、その選定結果に応じて特殊効果一覧を表示する（Ｓ３２７）。
【００６５】
例えば、特殊効果のフラグが、ａ＝０，ｂ＝１，ｃ＝１，ｄ＝０，ｅ＝１、の場合、つまり、ＡＦ対応でないシェーディングレンズが装着されている場合、システムコントローラ２１は、フラグが「１」である、ｂ（魚眼レンズ効果）、ｃ（ティルトレンズ撮影効果）、ｅ（ダイナミックレンジ拡大効果）、を推奨特殊効果として選定する。そして、選定した推奨特殊効果のうちの一つが、ユーザにおいて選択し易いように、例えば図７（ａ）に示すように表示部１８上に表示する。なお、図７（ａ）は、選定した推奨特殊効果と、その他の特殊効果とをそれぞれ群にまとめて表示領域を設定し、さらに、その他の特殊効果群を網掛表示して輝度を低下させることで、推奨特殊効果群を顕著に表示し、これにより推奨特殊効果群から一つの特殊効果を選択し易いように表示した場合を例示している。
【００６６】
また、特殊効果のフラグが、ａ＝０，ｂ＝１，ｃ＝１，ｄ＝１，ｅ＝１、の場合、つまり、シェーディングレンズが装着されている場合、システムコントローラ２１は、フラグが「１」である、ｂ（魚眼レンズ効果）、ｃ（ティルトレンズ撮影効果）、ｄ（露光中フォーカス移動効果）、ｅ（ダイナミックレンジ拡大効果）、を推奨特殊効果として選定する。そして、選定した推奨特殊効果のうちの一つが、ユーザにおいて選択し易いように、図７（ａ）と同様にして、図７（ｂ）に示すように表示部１８上に表示する。
【００６８】
同様に、特殊効果のフラグが、ａ＝１，ｂ＝０，ｃ＝１，ｄ＝０，ｅ＝１、の場合、つまり、ＡＦ対応でない魚眼レンズが装着されている場合、システムコントローラ２１は、フラグが「１」である、ａ（シェーディング付加効果）、ｃ（ティルトレンズ撮影効果）、ｅ（ダイナミックレンジ拡大効果）、を推奨特殊効果として選定する。そして、選定した推奨特殊効果のうちの一つが、ユーザにおいて選択し易いように、図７（ａ）と同様にして、図８（ａ）に示すように表示部１８上に表示する。
【００６９】
また、特殊効果のフラグが、ａ＝１，ｂ＝０，ｃ＝１，ｄ＝１，ｅ＝１、の場合、つまり、ＡＦ対応の魚眼レンズが装着されている場合、システムコントローラ２１は、フラグが「１」である、ａ（シェーディング付加効果）、ｃ（ティルトレンズ撮影効果）、ｄ（露光中フォーカス移動効果）、ｅ（ダイナミックレンジ拡大効果）、を推奨特殊効果として選定する。そして、選定した推奨特殊効果のうちの一つが、ユーザにおいて選択し易いように、図７（ａ）と同様にして、図８（ｂ）に示すように表示部１８上に表示する。
【００７１】
同様に、特殊効果のフラグが、ａ＝１，ｂ＝１，ｃ＝０，ｄ＝０，ｅ＝１、の場合、つまり、ＡＦ対応でないティルトレンズが装着されている場合、システムコントローラ２１は、フラグが「１」である、ａ（シェーディング付加効果）、ｂ（魚眼レンズ効果）、ｅ（ダイナミックレンジ拡大効果）、を推奨特殊効果として選定する。そして、選定した推奨特殊効果のうちの一つが、ユーザにおいて選択し易いように、図７（ａ）と同様にして、図９（ａ）に示すように表示部１８上に表示する。
【００７２】
また、特殊効果のフラグが、ａ＝１，ｂ＝１，ｃ＝０，ｄ＝１，ｅ＝１、の場合、つまり、ＡＦ対応のティルトレンズが装着されている場合、システムコントローラ２１は、フラグが「１」である、ａ（シェーディング付加効果）、ｂ（魚眼レンズ効果）、ｄ（露光中フォーカス移動効果）、ｅ（ダイナミックレンジ拡大効果）、を推奨特殊効果として選定する。そして、選定した推奨特殊効果のうちの一つが、ユーザにおいて選択し易いように、図７（ａ）と同様にして、図９（ｂ）に示すように表示部１８上に表示する。
【００７３】
同様に、特殊効果のフラグが、ａ＝１，ｂ＝１，ｃ＝１，ｄ＝０，ｅ＝０、の場合、つまり、マニュアルフォーカスレンズが装着されて、三脚３７が未装着の場合、システムコントローラ２１は、フラグが「１」である、ａ（シェーディング付加効果）、ｂ（魚眼レンズ効果）、ｃ（ティルトレンズ撮影効果）、を推奨特殊効果として選定する。そして、選定した推奨特殊効果のうちの一つが、ユーザにおいて選択し易いように、図７（ａ）と同様にして、図１０（ａ）に示すように表示部１８上に表示する。
【００７４】
また、特殊効果のフラグが、ａ＝１，ｂ＝１，ｃ＝１，ｄ＝０，ｅ＝１、の場合、つまり、マニュアルフォーカスレンズおよび三脚３７が装着されている場合、システムコントローラ２１は、フラグが「１」である、ａ（シェーディング付加効果）、ｂ（魚眼レンズ効果）、ｃ（ティルトレンズ撮影効果）、ｅ（ダイナミックレンジ拡大効果）、を推奨特殊効果として選定する。そして、選定した推奨特殊効果のうちの一つが、ユーザにおいて選択し易いように、図７（ａ）と同様にして、図１０（ｂ）に示すように表示部１８上に表示する。
【００７５】
また、特殊効果のフラグが、ａ＝１，ｂ＝１，ｃ＝１，ｄ＝１，ｅ＝１、の場合、つまり、シェーディングレンズ、魚眼レンズ、ティルトレンズ以外のＡＦ対応レンズが装着され、かつ三脚３７が装着されている場合、システムコントローラ２１は、ａ（シェーディング付加効果）、ｂ（魚眼レンズ効果）、ｃ（ティルトレンズ撮影効果）、ｄ（露光中フォーカス移動効果）、ｅ（ダイナミックレンジ拡大効果）、を推奨特殊効果として選定する。したがって、この場合、実行可能な全ての特殊効果が推奨特殊効果として選定されるので、それらの表示態様を区別することなく、図１０（ｃ）に示すように表示部１８上に表示する。
【００７６】
図６において、Ｓ３２７で特殊効果一覧を表示したら、その後、コントローラ２１は、特殊効果の選択が終了したか否かを判定し（Ｓ３２９）、終了していなければ、選択操作の実行を監視し（Ｓ３３１）、一の特殊効果が選択されれば、当該選択された特殊効果を内部メモリに登録する（Ｓ３３３）。
【００７７】
一方、Ｓ３０３において、撮影レンズ１２が装着されていなければ、表示部１８に実行可能な特殊効果が無い旨を表示して（Ｓ３３５）、当該特殊効果選択処理を終了する。同様に、Ｓ３２９において、特殊効果の選択終了が判定されれば、当該特殊効果選択処理を終了する。
【００７８】
なお、表示部１８に表示する特殊効果一覧の表示態様は、アクセサリ情報に基づいて選定された推奨特殊効果がユーザにおいて選択し易いように表示すればよいので、図７〜図１０に限らず、推奨される特殊効果と、その他の特殊効果とで、配色や字体、文字サイズを変えたり、表示ページ、表示順を変えたり、それらを適宜組み合わせたりする等、種々の態様で区別して表示してもよい。また、図６のフローチャートにおけるレンズ情報のチェック順序は、適宜変更でき、それに応じて、同様にして推奨特殊効果とその他の特殊効果とを区別して表示することができる。また、推奨特殊効果は、特殊効果の種別によっては、さらに光学フィルタ１３のフィルタ情報を付加して選定することもできる。
【００７９】
図１１は、図４に示したＳ１１５における静止画像撮影処理の一例を示すフローチャートである。
【００８０】
静止画像撮影処理では、先ず、システムコントローラ２１は、Ｓ１１１（より詳細には図６のＳ３５５）において特殊効果として、露光中フォーカス移動効果が選択されているかをチェックする（Ｓ４０１）。その結果、露光中フォーカス移動効果が選択されていれば、当該特殊効果に設定されている撮影レンズ１２の駆動時間、すなわちレンズ光学系４１の駆動時間に合わせて露光時間を設定する（Ｓ４０３）。また、撮影レンズ１２のレンズコントローラ４４に対しては、レンズ光学系４１の駆動時間を送信する（Ｓ４０５）。
【００８１】
そして、システムコントローラ２１は、撮像部２２の露光を開始し（Ｓ４０７）、それと同期して、撮影レンズ１２のレンズコントローラ４４に対してレンズ光学系４１の駆動開始信号を送信して（Ｓ４０９）、レンズ光学系４１を移動させる。その後、システムコントローラ２１は、Ｓ４０３で設定された露光時間が終了すると（Ｓ４１１）、撮影部２２の露光を停止し（Ｓ４１３）、それと同期して、撮影レンズ１２のレンズコントローラ４４に対してレンズ光学系４１の駆動停止信号を送信する（Ｓ４１５）。その後、システムコントローラ２１は、撮像部２２から画像データを読み出す（Ｓ４１７）。
【００８２】
以後は、図４で説明したように、当該読み出した画像データに対して所要の画像処理を実行して、カードメモリ部２３の記録媒体または記憶部２４に画像ファイルとして記録する。なお、Ｓ４０１において、露光中フォーカス移動効果が選択されていなければ、システムコントローラ２１は、通常の静止画像撮影動作を実行して（Ｓ４１９）、同様に、カードメモリ部２３の記録媒体または記憶部２４に画像ファイルとして記録する。
【００８３】
以上説明した第１実施の形態に係る撮像装置１０によると、ユーザは、表示部１８に特殊効果一覧を表示すると、現在装着下のアクセサリで推奨される特殊効果が、他の特殊効果と区別して表示されるので、実際に撮影して特殊効果が付加された画像を確認することなく、効果が顕著に現れる特殊効果を容易に選択することができる。したがって、現在装着下のアクセサリを使用するアクセサリ優先で、所望の特殊効果を選択することができるので、十分な特殊効果が期待できるアクセサリと特殊効果との組み合わせを、ユーザが容易に設定することができる。また、効果が期待できない特殊効果は、表示を変更しているだけで、ユーザに対して当該特殊効果を選択することを意図的に妨げるものではなく、選択可能である。したがって、初心者から玄人まで、幅広いユーザに有効なＧＵＩ（Graphical User Interface）を有する撮像装置１０を提供することができる。
【００８４】
（第２実施の形態）
本発明の第２実施の形態に係る撮像装置は、第１実施の形態の撮像装置１０において、図４のＳ１１１における特殊効果選択処理を、ユーザによる選択を優先させて、つまり選択された特殊効果の使用を優先させた特殊効果優先として撮影を実行可能とする。
【００８５】
図１２は、本実施の形態に係る撮像装置による特殊効果選択処理の一例を示すフローチャートである。以下、第１実施の形態を参照しながら、図１２に示す特殊効果選択処理を説明する。
【００８６】
システムコントローラ２１は、特殊効果一覧の表示操作を検知すると、記憶部２４のアクセサリ情報格納領域２４ａおよび特殊効果情報格納領域２４ｂから、それぞれアクセサリ情報および特殊効果情報を読み出す（Ｓ５０１）。また、システムコントローラ２１は、当該撮像装置１０が実行可能な全ての特殊効果の一覧を、例えば図１０（ｃ）に示すように表示部１８に表示する（Ｓ５０３）。そして、特殊効果の選択が終了したか否かを判定し（Ｓ５０５）、終了していなければ、選択操作の実行を監視する（Ｓ５０７）。
【００８７】
その結果、特殊効果が選択されたのを検知すると、その選択された特殊効果に推奨されるアクセサリが装着されているか否かを判定し、装着されている場合は、選択された特殊効果をシステムコントローラ２１の内部メモリに登録し、装着されていない場合は、音や光を発したり、選択した特殊効果に推奨されるアクセサリの装着を促すメッセージを表示部１８に表示したりして、アクセサリが適切でない旨を通知する。したがって、本実施の形態において、システムコントローラ２１は、アクセサリが適切でない旨を通知するための制御部を構成する。なお、音や光を発して通知する場合は、例えば、図１３に示すように、カメラボディ１１の背面に、スピーカや発光素子等の通知部６５を設けて、システムコントローラ２１により通知部６５の駆動を制御する。
【００８８】
そのため、システムコントローラ２１は、特殊効果としてシェーディング付加効果が選択されたのを検知すると（Ｓ５０９）、アクセサリ情報のレンズ情報から、装着下の撮影レンズ１２は周辺減光量が所定値（例えば、５０%）以下のものかをチェックする（Ｓ５１１）。その結果、所定値以下のものであれば、当該選択された特殊効果を撮影時に実行する特殊効果として内部メモリに登録する（Ｓ５１３）。これに対し、周辺減光量が所定値を超えていれば、通知部６５を駆動したり、表示部１８にメッセージを表示したりして、アクセサリが適切でない旨を通知して（Ｓ５１５）、適切なアクセサリの装着を促す。
【００８９】
また、システムコントローラ２１は、特殊効果として魚眼レンズ効果が選択されたのを検知すると（Ｓ５１７）、アクセサリ情報のレンズ情報から、装着下の撮影レンズ１２は焦点距離が所定値（例えば、９ｍｍ）以上のものかをチェックする（Ｓ５１９）。その結果、所定値以上のものであれば、Ｓ５１３において当該選択された特殊効果を撮影時に実行する特殊効果として内部メモリに登録する。これに対し、焦点距離が所定値未満であれば、Ｓ５１５においてアクセサリが適切でない旨を通知して、適切なアクセサリの装着を促す。
【００９０】
また、システムコントローラ２１は、特殊効果としてティルトレンズ効果が選択されたのを検知すると（Ｓ５２１）、アクセサリ情報のレンズ情報から、装着下の撮影レンズ１２はティルトレンズかをチェックする（Ｓ５２３）。その結果、ティルトレンズでなければ、Ｓ５１３において当該選択された特殊効果を撮影時に実行する特殊効果として内部メモリに登録する。これに対し、ティルトレンズであれば、Ｓ５１５においてアクセサリが適切でない旨を通知して、適切なアクセサリの装着を促す。
【００９１】
また、システムコントローラ２１は、特殊効果として露光中フォーカス移動効果が選択されたのを検知すると（Ｓ５２５）、アクセサリ情報のレンズ情報から、装着下の撮影レンズ１２はＡＦ対応レンズかをチェックする（Ｓ５２７）。その結果、ＡＦ対応レンズであれば、さらに三脚３７が装着されているかをチェックする（Ｓ５２９）。その結果、三脚３７が装着されていれば、Ｓ５１３において当該選択された特殊効果を撮影時に実行する特殊効果として内部メモリに登録する。これに対し、装着されている撮影レンズ１２がＡＦ対応レンズでなかったり、三脚３７が装着されていなかったりした場合は、Ｓ５１５においてアクセサリが適切でない旨を通知して、適切なアクセサリの装着を促す。
【００９２】
また、システムコントローラ２１は、特殊効果としてダイナミックレンジ拡大効果が選択されたのを検知すると（Ｓ５３１）、アクセサリ情報から三脚３７が装着されているかをチェックする（Ｓ５３３）。その結果、三脚３７が装着されていれば、Ｓ５１３において当該選択された特殊効果を撮影時に実行する特殊効果として内部メモリに登録する。これに対し、三脚３７が装着されていなければ、Ｓ５１５においてアクセサリが適切でない旨を通知して、適切なアクセサリの装着（この場合、ストロボ１７の装着）を促す。
【００９３】
このように、本実施の形態においては、ユーザによる特殊効果の選択を優先させて、選択された特殊効果に対して、装着下のアクセサリが推奨されない場合は、その旨を通知して適切なアクセサリの装着を促すようにしたので、ユーザの意思を反映させた撮影を行うことができる。これにより、十分な特殊効果が期待できるアクセサリと特殊効果との組み合わせを、ユーザが容易に設定することができる。もちろん、Ｓ５１５においてアクセサリが適切でない旨を通知した場合は、適切なアクセサリを装着するか、特殊効果の選択をやり直させるか、通知を無視して選択されている効果を登録するか、のいずれかを選択させるようにすることも可能である。また、選択された効果の登録は常に行い、１ｓｔレリーズで、アクセサリチェックと通知とを行うようにしてもよい。
【００９４】
（第３実施の形態）
図１４は、本発明の第３実施の形態に係る撮像装置の内部の概略構成を示す機能ブロック図である。この撮像装置７０は、図２に示した構成において、システムコントローラ２１に接続されたネットワーク通信部２８をさらに備える。ネットワーク通信部２８は、システムコントローラ２１の制御のもとに、ネットワーク７１を介して、ネットワーク７１に接続されているサーバ７２と通信可能である。
【００９５】
本実施の形態では、例えば図４のＳ１１１において、特殊効果の選択処理を開始するのに先立って、ネットワーク通信部２８によりサーバ７２と通信して、図４のＳ１０５で取得したアクセサリ情報をサーバ７２に送信し、そのアクセサリ情報に応じた特殊効果情報をサーバ７２から取得する。そして、取得した特殊効果情報に基づいて、第１実施の形態あるいは第２実施の形態で説明したようにして、十分な特殊効果が期待できるアクセサリと特殊効果との組み合わせを設定可能とする。
【００９６】
このように、サーバ７２からアクセサリ情報に応じた特殊効果情報を取得するようにすれば、次々と発売される種々のアクセサリに対応する特殊効果情報をサーバ７２側で生成することができるので、撮像装置７０は新規のアクセサリを使用して所望の特殊効果を付加することが可能となる。
【００９７】
なお、本発明は、上記実施の形態に限定されるものではなく、幾多の変形または変更が可能である。例えば、表示部１８に表示する特殊効果一覧は、特殊効果名に限らず、図１５に示すように、それぞれの特殊効果を付加した画像を画面分割して表示することもできる。この場合、各特殊効果の画像は、予めサンプル画像を記憶部２４に格納して読み出して表示することもできるし、実際に被写体を撮影して、それぞれの特殊効果を付加して表示することもできる。なお、この際、第１実施の形態のようにアクセサリ優先で推奨の特殊効果を呈示する場合は、推奨の特殊効果の画像とその他の特殊効果の画像とを、表示位置、表示順、表示ページ、明るさ等を変えて表示することができる。また、第３実施の形態にように、サーバ７２と通信可能に構成する場合は、特殊効果の全部または一部をサーバ７２で実行させて、サーバ７２から特殊効果が付加された画像ファイルを取得するように構成することもできる。さらに、本発明は、特殊効果として、上述したシェーディング付加効果、魚眼レンズ効果、ティルトレンズ撮影効果、露光中フォーカス移動効果、ダイナミックレンジ拡大効果、のいずれかを含む場合にも、有効に適用することができる。
【符号の説明】
【００９８】
１０  撮像装置
１１  カメラボディ
１２  撮影レンズ
１３  光学フィルタ
１６  電子ビューファインダ
１７  ストロボ
１８  表示部
１９ｂ  メニューボタン
２０  操作部
２１  システムコントローラ
２２  撮像部
２４  記憶部
２４ａ  アクセサリ情報格納領域
２４ｂ  特殊効果情報格納領域
２５  三脚検出部
２７  表示駆動部
２８  ネットワーク通信部
３３  画像処理部
３４  フィルタ処理部
３７  三脚
４１  レンズ光学系
４２  レンズ情報メモリ
４３  レンズ駆動モータ
４４  レンズコントローラ
６５  通知部
５２  フィルタ情報メモリ
７０  撮像装置
７１  ネットワーク
７２  サーバ
【図１】
0005606755.tif 000002
【図２】
0005606755.tif 000003
【図３】
0005606755.tif 000004
【図４】
0005606755.tif 000005
【図５】
0005606755.tif 000006
【図６】
0005606755.tif 000007
【図７】
0005606755.tif 000008
【図８】
0005606755.tif 000009
【図９】
0005606755.tif 000010
【図１０】
0005606755.tif 000011
【図１１】
0005606755.tif 000012
【図１２】
0005606755.tif 000013
【図１３】
0005606755.tif 000014
【図１４】
0005606755.tif 000015
【図１５】
0005606755.tif 000016